(57)【特許請求の範囲】
【請求項１】
装置本体と、
前記装置本体から引出可能に設けられた搬送ユニットと、
前記搬送ユニットの第１のガイドに開閉可能に設けられた第２のガイドと、
前記装置本体に設けられた位置決め部材と、
前記第２のガイドに設けられた押圧部と、を備え、
前記搬送ユニットを前記装置本体に挿入して収納したときに、前記位置決め部材により前記押圧部を押圧して、前記第１のガイドと前記第２のガイドとの位置決めを行うことを特徴とする媒体処理装置。
【請求項２】
請求項１に記載の媒体処理装置において、
前記第２のガイドは、前記搬送ユニットの挿入方向の直交方向に開閉支点を有することを特徴とする媒体処理装置。
【請求項３】
請求項１または請求項２に記載の媒体処理装置において、
前記装置本体に設けられた受渡部と、
前記第２のガイドに設けられたプレッシャローラと、
前記プレッシャローラを押圧する押圧スプリングと、
前記第２のガイドに設けられ、前記押圧スプリングの一端を支持する支持板と、
前記支持板に設けられた摺動部と、を備え、
前記搬送ユニットを前記装置本体に挿入するときに、前記位置決め部材により前記支持板の摺動部を押圧することを特徴とする媒体処理装置。
【請求項４】
請求項３に記載の媒体処理装置において、
前記摺動部の挿入方向の先端に、斜面を設けたことを特徴とする媒体処理装置。
【請求項５】
請求項３または請求項４に記載の媒体処理装置において、
前記摺動部は、前記押圧部より高い位置に設けられていることを特徴とする媒体処理装置。
【請求項６】
請求項３ないし請求項５のいずれか一項に記載の媒体処理装置において、
前記摺動部は、前記搬送ユニットを収納位置に収納したときに、前記挿入方向に沿って前記第２のガイドの搬送ガイド板と平行に設けられていることを特徴とする媒体処理装置。
【請求項７】
請求項３ないし請求項５のいずれか一項に記載の媒体処理装置において、
前記摺動部は、前記挿入方向の直交方向に２つ並べて形成されていることを特徴とする媒体処理装置。
【発明の詳細な説明】
【技術分野】
【０００１】
本発明は、紙幣等の媒体を搬送する搬送路を備えた現金処理装置等の媒体処理装置に関する。
【背景技術】
【０００２】
従来の媒体処理装置は、媒体を搬送する搬送ユニットの可動ガイドに設けたロックレバーを、ベースガイドに設けたロックポストに係合させてベースガイドと可動ガイドとの位置決めを行っている（例えば、特許文献１参照。）。
【先行技術文献】
【特許文献】
【０００３】
【特許文献１】特開平１０−３２９９７６号公報（段落０００７−００１２、第１図）
【発明の概要】
【発明が解決しようとする課題】
【０００４】
しかしながら、上述した従来の技術においては、ベースガイドと可動ガイドとの位置決め構造にロックレバーとロックポストからなるロック機構を用いているため、搬送ユニットの構造が複雑になるという問題がある。
本発明は、上記の問題点を解決するためになされたもので、搬送ユニットのベースガイドと可動ガイドとの位置決め構造を簡素化する手段を提供することを目的とする。
【課題を解決するための手段】
【０００５】
本発明は、上記課題を解決するために、媒体処理装置が、装置本体と、前記装置本体から引出可能に設けられた搬送ユニットと、前記搬送ユニットの第１のガイドに開閉可能に設けられた第２のガイドと、前記装置本体に設けられた位置決め部材と、前記第２のガイドに設けられた押圧部と、を備え、前記搬送ユニットを前記装置本体に挿入して収納したときに、前記位置決め部材により前記押圧部を押圧して、前記第１のガイドと前記第２のガイドとの位置決めを行うことを特徴とする。
【発明の効果】
【０００６】
これにより、本発明は、第１のガイドと第２のガイドとの位置決めを行うためのロック機構を省略して、第１のガイドと第２のガイドとの位置決め構造の簡素化を図ることができるという効果が得られる。
【図面の簡単な説明】
【０００７】
【図１】実施例の現金処理装置を示す説明図
【図２】実施例の現金処理装置を示すブロック図
【図３】実施例の搬送ユニットの外観を示す説明図
【図４】実施例の搬送ユニットの正面を示す説明図
【図５】実施例の搬送ユニットの側面を示す説明図
【図６】実施例の搬送ユニットの挿入開始時の状態を示す説明図
【図７】実施例の搬送ユニットの挿入状態を示す説明図
【発明を実施するための形態】
【０００８】
以下に、図面を参照して本発明による媒体処理装置の実施例について説明する。
【実施例】
【０００９】
以下に、図１ないし図７を用いて本実施例の現金処理装置について説明する。
本実施例の媒体処理装置としての現金処理装置１は、百貨店やスーパーマーケット等の小売業の店舗等に設置され、店舗の売場に設置されている複数のレジスタへの釣銭準備金等の出金やレジスタから回収された売上金等の現金の入金を行う機能、締上時に売上金額等の集計を行う機能等を有しており、図１に示す構成を備えている。
【００１０】
現金処理装置１の制御部２は、通信部３によって、センタ等に設置されたホストコンピュータ４と、専用回線や電話回線等の通信回線５を介して接続しており、現金処理装置１内の各部を制御して出金処理や入金処理、締上処理等を実行すると共にホストコンピュータ４との間のデータ通信を制御する機能等を有している。
記憶部６は、制御部２が実行するプログラムやそれに用いる各種のデータ、制御部２による処理結果等を格納する機能等を有している。
【００１１】
操作表示部７は、現金処理装置１の前面に設けられ、ＬＣＤ等の表示画面とタッチパネル等の入力手段等を備えており、表示画面に各種の選択画面や入力画面、操作者に対する所定の情報等を表示する機能を有すると共に、入力手段により操作者による選択入力等を受付ける機能等を有している。
印刷部８は、現金処理装置１による入金処理や出金処理の金額等の取引結果を用紙に印刷して発行する機能等を有している。
【００１２】
硬貨入出金部９は、入金取引時等に硬貨入出金口に投入された売上金等の硬貨を受入れ、これを鑑別および計数して収納庫に収納し、出金取引時等に指定された金額や釣銭等に相当する硬貨を収納庫から繰出して計数し、これを硬貨入出金口に集積して操作者に引渡す機能等を有している。
紙幣入出金部１０は、入金取引時等に紙幣入出金口１１に投入された売上金等の媒体としての紙幣を受入れ、これを鑑別および計数して収納庫に収納し、出金取引時等に指定された金額や釣銭等に相当する紙幣を収納庫から繰出して計数し、これを紙幣入出金口１１に集積して操作者に引渡す機能等を有している。
【００１３】
本実施例の紙幣入出金部１０は、図２に示すように、現金処理装置１の上部ユニット１ａに設けられた紙幣入出金口１１と鑑別部１２と一時保留部１３との間を接続する上部搬送路１５ａと、下部ユニット１ｂに設けられた複数の収納庫１７とリジェクト庫１８との間を接続する下部搬送路１５ｂとの間を、装置本体１９に設けられた受渡部２０で接続して構成される。
紙幣入出金口１１は、紙幣入出金口１１を開閉するためのシャッタが設けられており、操作者が投入した紙幣を受入れると共に操作者へ出金する釣銭準備金等の紙幣を集積する機能等を有している。
【００１４】
鑑別部１２は、搬入された紙幣の真偽、正損、金種、重送等の各種の鑑別を行う機能等を有している。
一時保留部１３は、紙幣入出金口１１に投入され、鑑別部１２で鑑別、計数された紙幣を集積して一時待機させると共に一時待機させていた紙幣を繰出す機能を有している。
収納庫１７は、釣銭等として使用する紙幣を金種別に収納する収納庫であって、出金する紙幣を繰出す機能および入金が確定された紙幣を収納する機能等を備えている。
【００１５】
リジェクト庫１８は、入金時に鑑別部１２で釣銭に使用できない紙幣と鑑別された、または出金時に鑑別部１２で重送等と鑑別されたリジェクト紙幣が収納される。
受渡部２０は、鑑別部１２での鑑別後に一時保留部１３に一時保留され、一時保留部１３から上部搬送路１５ａによって搬送された紙幣を下部搬送路１５ｂに受渡す機能、および収納庫１７から繰出され、下部搬送路１５ｂによって搬送された紙幣を上部搬送路１５ａに受渡す機能を有している。
【００１６】
本実施例の下部搬送路１５ｂは、複数の搬送ユニット２１ａ、２１ｂを連結して構成され、その受渡部２０の直下に配置される搬送ユニット２１ａは、図３ないし図５に示す構成を備えている。
なお、図３ないし図５は、搬送ユニット２１ａを図３に示す矢印Ａ方向に挿入して現金処理装置１の装置本体１９内の収納位置に収納した状態を示している。
【００１７】
搬送ユニット２１ａは、図３、図４、図５に示すように、第１のガイドとしてのベースガイド２２と、第２のガイドとしての可動ガイド２３とで構成され、可動ガイド２３は、ベースガイド２２の挿入方向（図３に示す矢印Ａ方向）の先端部に設けられた開閉支点２４を中心に、ベースガイド２２に対して図５に示す矢印Ｂ方向に開閉可能に取付けられている。
また、搬送ユニット２１ａは、スライドレール２５（図４参照）によって装置本体１９から、図３に示す矢印Ａとは逆方向に引出可能に構成されている。
【００１８】
ベースガイド２２には、図５に示すように、紙幣を搬送する際に回転軸２７ａを中心に正逆方向に回転駆動されるフィードローラ２７が紙幣の搬送経路に沿って複数配置され、その搬送ガイド板２２ａには、フィードローラ２７を下部搬送路１５ｂ内に突出させる窓部２８が設けられている。
【００１９】
可動ガイド２３には、図４、図５に示すように、圧縮コイルスプリング等のバネ部材３１でフィードローラ２７の方向に付勢され、フィードローラ２７の回転に従って回転軸３２ａを中心に従動回転するプレッシャローラ３２が紙幣の搬送経路に沿って複数配置され、その搬送ガイド板２３ａには、プレッシャローラ３２を下部搬送路１５ｂ内に突出させる窓部３３が設けられている。
【００２０】
本実施例のバネ部材３１は、図４に示すように、支持板３５に一端を支持され、他端でプレッシャローラ３２の回転軸３２ａを押圧するように設けられ、装置本体１９内の収納位置に収納されたときに、所定の押圧力でフィードローラ２７を押圧するように構成される。このためプレッシャローラ３２は回転軸３２ａに図示しない軸受を介して回転可能に取付けられている。
また、プレッシャローラ３２の回転軸３２ａは、図５に示すように、可動ガイド２３に設けられた案内部３６によって上下方向に移動可能に支持されている。
【００２１】
本実施例の支持板３５は、締結部材としてのネジ３７で可動ガイド２３に締結されており、その上面は本実施例の摺動部３５ａとして機能する。
この摺動部３５ａは、図３、図４に示すように、搬送ユニット２１ａの挿入方向の直交方向に２つ並べて形成され、図５に示すように、搬送ユニット２１ａの収納位置において、搬送ユニット２１ａの挿入方向に沿って、可動ガイド２３の搬送ガイド板２３ａと平行で、かつ可動ガイド２３の押圧部４２（後述）より高い位置となるように設けられている。
【００２２】
また、支持板３５の摺動部３５ａを形成する板材の、挿入方向の先端には、挿入方向に向かって下る方向に傾斜した斜面３８が形成されている。
本実施例の受渡部２０の搬送ユニット２１ａ側には、下部搬送路１５ｂにより搬送された紙幣を上部搬送路１５ａに円滑に導くための受渡ガイド３９が設けられている。
なお、図５において奥側に図示した受渡ガイドは、搬送ユニット２１ａの挿入時における支持板３５の通過領域の外側に設けられたものである（図７参照）。
【００２３】
位置決め部材としての板バネ４１は、バネ鋼等の鋼板を「へ」の字状に曲折して形成された押圧部材であって、装置本体１９に取付けられている。
また、板バネ４１は、搬送ユニット２１ａが装置本体１９内の収納位置に収納されたときに、「へ」の字状の頂部で、可動ガイド２３の挿入方向の後端部に設けられた押圧部４２を押圧し、ベースガイド２２の後端部の上部に設けられた係止部４３に可動ガイド２３の下面を押付けて、ベースガイド２２と可動ガイド２３との位置決め（バネ部材３１によってプレッシャローラ３２をフィードローラ２７に所定の押圧力で押付けて紙幣の搬送を可能にする状態にすることをいう。）を行う機能を有している。
【００２４】
また、搬送ユニット２１ａの挿入方向の位置決めは、搬送ユニット２１ａを装置本体１９内に挿入し、その先端を搬送ユニット２１ｂの後端に当接させ、装置本体１９に設けられたロックレバー４５を、ベースガイド２２の後端部の側面に設けられたロックポスト４６に係合させて行う。
なお、搬送ユニット２１ｂの挿入方向の位置決めは、装置本体１９に設けられたストッパ４７（図２参照）に、搬送ユニット２１ｂの先端を当接させて行う。
【００２５】
上記の構成の作用について説明する。
本実施例の搬送ユニット２１ａを装置本体１９から引出した状態、つまり装置本体１９への挿入前状態においては、板バネ４１による押圧部４２への押圧が解除されているため、図６に示すように、挿入方向（矢印Ａ方向）の最前部に設けられたバネ部材３１がプレッシャローラ３２を介してフィードローラ２７を押圧する反力によって、可動ガイド２３が開閉支点２４を中心に矢印Ｃ方向に回動して、可動ガイド２３の後端部がベースガイド２２から浮き上がり、搬送ユニット２１ａを挿入する際に、可動ガイド２３に設けられた支持板３５の摺動部３５ａの先端と、受渡部２０の受渡ガイド３９の挿入方向と反対側の端部３９ａとが衝突する状態になる。
【００２６】
本実施例では、支持板３５の摺動部３５ａの先端に斜面３８を設けているので、搬送ユニット２１ａを、装置本体１９の受渡部２０下へ挿入する場合においてその開始時に、摺動部３５ａの斜面３８が受渡ガイド３９の端部３９ａに接触し、斜面３８の傾斜によってバネ部材３１を押下げながら可動ガイド２３の先端を受渡部２０下に円滑に導くことができる。
これにより、本実施例の搬送ユニット２１ａは、挿入開始時に可動ガイド２３の摺動部３５ａの先端部と受渡ガイド３９の端部３９ａとの衝突を回避することができる。
【００２７】
そして、搬送ユニット２１ａを更に挿入して摺動部３５ａの先端が板バネ４１に頂部を通過すると、図７（ａ）に示すように、板バネ４１がその弾性により上方に変形し、板バネ４１によって摺動部３５ａを下方に押下げることで、可動ガイド２３がベースガイド２２の方向（図６に示す矢印Ｃの反対方向）に回動し、搬送ユニット２１ａが受渡部２０下を円滑に通過する。
【００２８】
この板バネ４１の頂部による支持板３５の摺動部３５ａの押下は、図７（ｂ）に示す搬送ユニット２１ａの挿入中においても継続され、搬送ユニット２１ａが、図７（ｃ）に示す収納位置に達すると、板バネ４１の頂部が摺動部３５ａから外れて、可動ガイド２３の押圧部４２を押圧するようになり、可動ガイド２３の下面がベースガイド２２の係止部４３に押付けられて、ベースガイド２２と可動ガイド２３との位置決めが行われる。
これにより可動ガイド２３のプレッシャローラ３２は、バネ部材３１の付勢力によってフィードローラ２７に所定の押圧力でされ、紙幣の搬送が可能になる。
【００２９】
このように、本実施例では、装置本体１９に設けた板バネ４１により、収納位置まで挿入した搬送ユニット２１ａの可動ガイド２３の押圧部４２を押圧するので、ベースガイド２２と可動ガイド２３との位置決めを行うためのロック機構を省略して、ベースガイド２２と可動ガイド２３との位置決め構造の簡素化を図ることができる。
【００３０】
また、搬送ユニット２１ａの装置本体１９への挿入中に、板バネ４１により可動ガイド２３の支持板３５の摺動部３５ａを押圧して可動ガイド２３をベースガイド２２に押付けるので、装置本体１９に設けた受渡部２０との接触を防止して、搬送ユニット２１ａの挿入を円滑に行うことができる。
更に、支持板３５の摺動部３５ａの先端に斜面３８を設けたので、搬送ユニット２１ａの装置本体１９への挿入開始時における受渡部２０の受渡ガイド３９との衝突を回避して搬送ユニット２１ａの挿入を円滑に行うことができる。
【００３１】
なお、上記実施例においては、板バネ４１は支持板３５の摺動部３５ａの先端が板バネ４１の頂部に達したときに、摺動部３５ａを押圧するとして説明したが、板バネ４１による押圧を摺動部３５ａの途中から開始するようにしてもよい。このようにすれば斜面３８を省略することも可能になる。
また、上記実施例においては、搬送路はフィードローラ２７とプレッシャローラ３２からなるローラ対で構成するとして説明したが、ローラとベルトとの組合せ、またはベルト対からなる搬送路であってもよい。
【符号の説明】
【００３２】
１    現金処理装置
１ａ  上部ユニット
１ｂ  下部ユニット
２    制御部
３    通信部
４    ホストコンピュータ
５    通信回線
６    記憶部
７    操作表示部
８    印刷部
９    硬貨入出金部
１０  紙幣入出金部
１１  紙幣入出金口
１２  鑑別部
１３  一時保留部
１５ａ  上部搬送路
１５ｂ  下部搬送路
１７  収納庫
１８  リジェクト庫
１９  装置本体
２０  受渡部
２１ａ、２１ｂ  搬送ユニット
２２  ベースガイド
２２ａ、２３ａ  搬送ガイド板
２３  可動ガイド
２４  開閉支点
２５  スライドレール
２７  フィードローラ
２７ａ、３２ａ  回転軸
２８、３３  窓部
３１  バネ部材
３２  プレッシャローラ
３５  支持板
３５ａ  摺動部
３６  案内部
３７  ネジ
３８  斜面
３９  端部
４１  板バネ
４２  押圧部
４３  係止部
４５  ロックレバー
４６  ロックポスト
４７  ストッパ
【図１】
0006597340.tif 000002
【図２】
0006597340.tif 000003
【図３】
0006597340.tif 000004
【図４】
0006597340.tif 000005
【図５】
0006597340.tif 000006
【図６】
0006597340.tif 000007
【図７】
0006597340.tif 000008